(57)【要約】【課題】コンバインにシートを掛ける際、機体の突起部にシートが引っ掛かることを防ぎ、シート掛けの作業性を向上させると共に、シートを突起部に引っ掛けて破く等の不都合を回避する。【解決手段】機体保管時にシート１２が掛けられるコンバイン１であって、該コンバイン１の高所部材（キャビン７等）に、シート１２の機体突起部への引っ掛かりを避けつつ、シート１２を機体高所へ導くシート掛けガイド１３を延出状に設ける。また、シート掛けガイド１３を複数設ければ、シート掛けの作業性を更に向上させることができる。また、シート掛けガイド１３を弾性体で構成すれば、シート掛けガイド１３を適正なガイド姿勢に弾性変形させることができる。また、シート掛けガイド１３を折畳み自在に構成すれば、シート掛けガイドをコンパクトに収納することができる。【選択図】　　　　図７
2004033084.tif 000002
【特許請求の範囲】
【請求項１】
機体保管時にシートが掛けられるコンバインであって、該コンバインの高所部材に、前記シートの機体突起部への引っ掛かりを避けつつ、前記シートを機体高所へ導くシート掛けガイドを延出状に設けたことを特徴とするコンバイン。
【請求項２】
請求項１において、前記シート掛けガイドは、前記高所部材に複数設けられることを特徴とするコンバイン。
【請求項３】
請求項１又は２において、前記シート掛けガイドは、弾性変形自在な弾性体で構成されることを特徴とするコンバイン。
【請求項４】
請求項１乃至３において、前記シート掛けガイドは、折畳み自在に構成されることを特徴とするコンバイン。
【発明の詳細な説明】
【０００１】
【発明の属する技術分野】
本発明は、コンバインの技術分野に属し、特に、シート掛け作業を容易に行うことができるコンバインに関する。
【０００２】
【従来の技術】
一般に、この種のコンバインは、機体を保管する場合、特に、屋外において機体を保管する場合には、機体保護の観点から機体にシートを掛けることが望ましい。そして、この場合には、機体の一方から機体高所にシートを掛け、これを機体の他方から引き下ろす等の手順でシート掛けが行われている。
【０００３】
【発明が解決しようとする課題】
しかしながら、上記コンバインは、その外部に穀粒排出オーガ、キャビン等の突起物が多く存在するため、シートが突起物に引っ掛かり、シート掛けの作業性が低下する許りでなく、シートが鋭利な突起に引っ掛かって破ける等の不都合が生じる可能性がある。
【０００４】
【課題を解決するための手段】
本発明は、上記の如き実情に鑑みこれらの課題を解決することを目的として創作されたものであって、機体保管時にシートが掛けられるコンバインであって、該コンバインの高所部材に、前記シートの機体突起部への引っ掛かりを避けつつ、前記シートを機体高所へ導くシート掛けガイドを延出状に設けたことを特徴とする。つまり、シート掛けガイドの案内により、シートを機体突起部に引っ掛けることなく、機体高所に掛けることが可能になるので、シート掛けの作業性を向上させることができる許りでなく、シートを突起部に引っ掛けて破く等の不都合を回避することができる。
また、前記シート掛けガイドは、前記高所部材に複数設けられることを特徴とする。この場合においては、シートの機体突起部への引っ掛かりが更に防止され、シート掛けをスムーズに行うことができる。
また、前記シート掛けガイドは、弾性変形自在な弾性体で構成されることを特徴とする。この場合においては、シート掛けガイドを適正なガイド姿勢（例えばアーチ状）に弾性変形させることにより、シート掛け作業がさらに容易になり、また、収納時にはシート掛けガイドを適正な収納姿勢（例えば直線状）とすることにより、その収納性を高めることができる。
また、前記シート掛けガイドは、折畳み自在に構成されることを特徴とする。この場合においては、収納時にシート掛けガイドを折畳み、コンパクトに収納することができる。
【０００５】
【発明の実施の形態】
次に、本発明の実施の形態の一つを図面に基づいて説明する。図面において、１はコンバインであって、該コンバイン１は、茎稈を刈取る前処理部２と、刈り取った茎稈を脱穀・選別処理する脱穀部３と、選別した穀粒を貯溜する穀粒タンク４と、該穀粒タンク４内の穀粒を排出する穀粒排出オーガ５と、脱穀済みの排稈を排出処理する後処理部６と、キャビン（高所部材）７で覆われる操作部８と、クローラ式の走行部９とを備えている。
【０００６】
穀粒排出オーガ５は、穀粒タンク４の後部に立設される縦パイプ１０と、該縦パイプ１０の上端部に旋回動作および昇降動作可能に連結される排出パイプ１１とを備えて構成され、その内部に設けられる螺旋搬送体（図示せず）の回転駆動により、穀粒の排出搬送を行う。排出パイプ１１は、その格納位置が予め決められており、本実施形態では、キャビン７の左側に平面視傾斜姿勢で格納するようになっている。そして、排出パイプ１１を格納した状態では、コンバイン１における最上位置がキャビン７の上端部となる。
【０００７】
キャビン７は、立ち姿勢での運転操作を可能にするために背高に構成されている。従って、機体保管時にシート１２を掛ける際には、キャビン７の高さ、排出パイプ１１等の突起部への引っ掛かり等が問題になる。本発明は、このような問題に対処するため、コンバイン１にシート掛けガイド１３を装備させると共に、その取付部であるガイド取付部材１４を機体の適所に設けている。
【０００８】
ガイド取付部材１４は、コンバイン１の高所部材に設ける必要があり、本実施形態では、キャビン７の上端部に二つ、排出パイプ１１の基端部に一つ設けられる。ガイド取付部材１４は、例えば、側方に突出する突起であり、好ましくは、先端側ほど細くなるテーパー付き突起であることが望ましく、その作用効果は後述する。また、本実施形態のキャビン７は、各コーナー部が丸みを帯びたＲ形状となっており、これによってシート１２のキャビン７への引っ掛かりが回避されるようになっている。
【０００９】
シート掛けガイド１３は、弾性変形自在な素材を用いて形成される棒状のものであり、例えば、テントのポールとして使用されるジュラルミンパイプ、グラスファイバーパイプ等を用いることができる。シート掛けガイド１３の一端部には、前記ガイド取付部材１４に嵌合可能なカップリング１５が設けられ、このカップリング１５とガイド取付部材１４との嵌合、引き抜きにより、シート掛けガイド１３がコンバイン１に対して着脱される。
【００１０】
カップリング１５には、ガイド取付部材１４に嵌合する嵌合孔１５ａが形成されている。この嵌合孔１５ａは、広口で、かつ、奥側ほど狭くなるテーパー孔であり、ガイド取付部材１４に対して容易に嵌合させることができる。また、ガイド取付部材１４に嵌合したカップリング１５は、その上端位置がキャビン７の上端よりも高くなることが好ましく、この場合には、キャビン７に対するシート１２の引っ掛かり防止効果を更に高めることができる。
【００１１】
一方、シート掛けガイド１３の他端部は、尖鋭部（テーパー）１３ａを有しており、この尖鋭部１３ａを利用して地中に差し込み固定される。また、シート掛けガイド１３の他端部には、所定の長さに亘って色付きの塗装１３ｂが施されており、この塗装部分１３ｂが適正な地中差し込み量を示している。これにより、差し込み量不足によるシート掛けガイド１３の抜けを防止することが可能になる。尚、アスファルト等の差し込み不能な場所でシート掛けを行う場合は、任意の重量物を用いてシート掛けガイド１３の他端部を固定してもよい。
【００１２】
また、シート掛けガイド１３の中間部は、機体の適所に設けられるガイドホルダ１６によって安定化させることができる。ガイドホルダ１６の取付位置としては、排出パイプ１１の先端部等が好ましい。ガイドホルダ１６は、例えば、シート掛けガイド１３の中間部を係合溝１６ａによって係合保持するように構成される。また、係合溝１６ａを形成する両側の凸部１６ｂは、シート掛けガイド１３よりも突出し、かつ、丸みを帯びたＲ形状とすることが好ましく、この場合には、凸部１６ｂに対するシート１２の引っ掛かりも回避することができる。
【００１３】
また、本実施形態のシート掛けガイド１３は、折畳み自在に構成されている。つまり、シート掛けガイド１３は、端部にインロー部１７ａを有する複数の筒部材１７からなり、これらの筒部材１７を互いにインロー嵌合させることによって長尺な棒状ガイドを構成する。従って、不使用時には、各インロー嵌合部を外すことにより、コンパクトに折畳み収納することが可能になる。また、シート掛けガイド１３には、ゴムひも１８が挿通されると共に、その両端部が最端位置の筒部材１７に固定されている。これにより、筒部材１７が折畳み時にバラバラになることがなく、容易に折り畳むことが可能になる。
【００１４】
次に、二本のシート掛けガイド１３を用いたシート掛け作業の手順を説明する。まず、適所に折畳み収納されている筒部材１７を繋ぎシート掛けガイド１３を組み立てる。次に、キャビン７の上端部左側（前後に二個）に設けられるガイド取付部材１４に、シート掛けガイド１３のカップリング１５を嵌合させる。続いて、シート掛けガイド１３をアーチ状に弾性変形させ、その下端部を地中に差し込み、固定させる。このとき、シート掛けガイド１３は、機体の突起部よりも外方に位置させる。このようにシート掛けガイド１３をセットした後、シート１２をシート掛けガイド１３に沿って上方に導き、機体上に掛ける。このとき、シート１２は、シート掛けガイド１３のガイドにより、機体突起部への引っ掛かりなく、スムーズに機体に掛けられることになる。シート掛け完了後は、シート掛けガイド１３を機体から外し、折り畳んで適所に収納する。
【００１５】
叙述の如く構成されたものにおいて、機体保管時にシート１２が掛けられるコンバイン１であって、該コンバイン１の高所部材（キャビン７等）に、シート１２の機体突起部への引っ掛かりを避けつつ、シート１２を機体高所へ導くシート掛けガイド１３を延出状に設けたため、シート掛けの作業性を向上させることができる許りでなく、シート１２を機体突起部に引っ掛けて破く等の不都合を回避することができる。
【００１６】
また、前記シート掛けガイド１３は、高所部材（キャビン７等）に複数設けられるため、シート１２の機体突起部への引っ掛かりが更に防止され、シート掛けをスムーズに行うことができる。
【００１７】
また、前記シート掛けガイド１３は、弾性変形自在な弾性体で構成されるため、シート掛けガイド１３を適正なガイド姿勢に弾性変形させることにより、シート掛け作業がさらに容易になり、また、収納時にはシート掛けガイド１３を適正な収納姿勢とすることにより、その収納性を高めることができる。
【００１８】
また、前記シート掛けガイド１３は、折畳み自在に構成されるため、収納時にシート掛けガイド１３を折畳み、コンパクトに収納することができる。
【図面の簡単な説明】
【図１】シート掛けガイドをセットしたコンバインの斜視図である。
【図２】別角度から見た同上斜視図である。
【図３】シート掛けが完了したコンバインの斜視図である。
【図４】（Ａ）はシート掛けガイドの取付部を示す側面図、（Ｂ）は要部断面図である。
【図５】シート掛けガイドの地中差し込み部を示す説明図である。
【図６】（Ａ）はガイドホルダの側面図、（Ｂ）は斜視図である。
【図７】シート掛けガイドの部分断面図である。
【符号の説明】
１　　　コンバイン
４　　　穀粒タンク
５　　　穀粒排出オーガ
７　　　キャビン
１２　　シート
１３　　シート掛けガイド
１３ａ　尖鋭部
１３ｂ　塗装
１４　　ガイド取付部材
１５　　カップリング
１６　　ガイドホルダ
１７　　筒部材
【図１】
2004033084.tif 000003
【図２】
2004033084.tif 000004
【図３】
2004033084.tif 000005
【図４】
2004033084.tif 000006
【図５】
2004033084.tif 000007
【図６】
2004033084.tif 000008
【図７】
2004033084.tif 000009